(57)【要約】【課題】天板の高さを調整可能なデスク装置に対して棚設置パネルを強固且つ安定した状態で固定することが可能な手段を提供する。【解決手段】本発明に係るデスク装置１０は、複数本の脚１６と、脚１６に支持された天板支持パネル１９と、天板支持パネル１９に上下位置調整可能に支持された天板２０と、天板支持パネル１９に支持され、天板支持パネル１９より上方まで延びるように設けられた棚設置パネル１４と、棚設置パネル１４における天板支持パネル１９より上方へ突出した部分に設けられた棚と、を備えるものである。【選択図】図６
2012120732.tif 000002
【特許請求の範囲】
【請求項１】
複数本の脚と、
前記脚に支持された天板支持パネルと、
前記天板支持パネルに上下位置調整可能に支持された天板と、
前記天板支持パネルに支持され、前記天板支持パネルより上方まで延びるように設けられた棚設置パネルと、
前記棚設置パネルにおける前記天板支持パネルより上方へ突出した部分に設けられた棚と、
を備えることを特徴とするデスク装置。
【請求項２】
前記天板支持パネルから前記天板と逆側へ突出して設けられ、前記棚設置パネルを下方から受けるパネル受けを更に備えることを特徴とする請求項１に記載のデスク装置。
【請求項３】
前記パネル受けが、前記天板支持パネルに対して着脱可能に設けられていることを特徴とする請求項２に記載のデスク装置。
【請求項４】
前記パネル受けは、前記天板支持パネルの下面に上方に向けて螺合されたネジ部材によって前記天板支持パネルの下面に固定されていることを特徴とする請求項２又は３に記載のデスク装置。
【請求項５】
前記パネル受けにダボが突出して設けられ、前記棚設置パネルの下面に前記ダボに嵌合するダボ溝が形成されていることを特徴とする請求項２から４のいずれか１項に記載のデスク装置。
【請求項６】
隣接する前記脚の上端部同士を連結して連結部材が設けられ、前記棚設置パネルが前記連結部材に固定されていることを特徴とする請求項２から５のいずれか１項に記載のデスク装置。
【発明の詳細な説明】
【技術分野】
【０００１】
本発明は、天板の高さを調整可能なデスク装置に関するものである。
【背景技術】
【０００２】
学習用のデスク装置としては、本やノートを収納するための棚や仕切り板を、天板の上に設置する形態のものが従来知られている（例えば、特許文献１を参照）。しかし、このようなデスク装置では、棚や仕切り板の領域分だけ天板上のスペースが狭くなってしまうそこで、天板の後面や側面に固定して棚設置パネルを立設し、この棚設置パネルの天板より上方に突出した部分に棚を設けることが従来提唱されている。このようなデスク装置によれば、天板より上方に浮いた位置に棚が設置されるので、天板上に広いスペースを確保しつつ棚の設置が可能となる。
【０００３】
但し、このようなデスク装置では、棚自体やその収容物の重量を天板で支持するために、棚設置パネルを天板に対して強固且つ安定して固定する必要がある。
【先行技術文献】
【特許文献】
【０００４】
【特許文献１】特開２００９−０１８０７２号公報
【発明の概要】
【発明が解決しようとする課題】
【０００５】
しかし、棚設置パネルを天板の後面や側面に直接固定する方式は、天板の高さを調整可能なデスク装置にはそのまま適用することができないという問題がある。より詳細に説明すると、近年、子供の成長に合わせて天板の高さを調整可能なデスク装置が広く用いられている。このデスク装置では、脚同士を接続して天板支持パネルが設けられ、この天板支持パネルの上下方向に沿った複数箇所に天板を固定できるようになっている。このようなデスク装置では、天板の両側部及び後部が天板支持パネルによって包囲される場合、棚設置パネルを天板に対して直接固定することができない。また、天板の後部に天板支持パネルがない場合、棚設置パネルを天板に直接固定することができるが、天板支持パネルの低い位置に天板が固定される場合、天板支持パネルを天板の後面に固定しただけでは、特に棚の位置が高いと棚設置パネルが不安定になるという問題がある。
【０００６】
本発明は、このような事情を考慮してなされたものであり、その目的は、天板の高さを調整可能なデスク装置に対して棚設置パネルを強固且つ安定した状態で固定することが可能な手段を提供することにある。
【課題を解決するための手段】
【０００７】
上記目的を達成するために、本発明は以下の手段を採用している。すなわち、本発明に係るデスク装置は、複数本の脚と、前記脚に支持された天板支持パネルと、前記天板支持パネルに上下位置調整可能に支持された天板と、前記天板支持パネルに支持され、前記天板支持パネルより上方まで延びるように設けられた棚設置パネルと、前記棚設置パネルにおける前記天板支持パネルより上方へ突出した部分に設けられた棚と、を備えることを特徴とする。
【０００８】
このような構成によれば、棚を設けるための棚設置パネルが、天板に直接固定されることなく天板支持パネルに固定されるので、天板の高さ位置によらず、棚設置パネルを天板支持パネルに対して強固且つ安定して固定することができる。また、棚が天板より上方へ突出した部分に設けられるので、棚の存在によらず天板上に広いスペースを確保することができる。
【０００９】
また、本発明に係るデスク装置は、前記天板支持パネルから前記天板と逆側へ突出して設けられ、前記棚設置パネルを下方から受けるパネル受けを更に備えることを特徴とする。
【００１０】
このような構成によれば、棚設置パネルを天板支持パネルに取り付ける作業を行う際に、パネル受けで棚設置パネルを下方から支持した状態で棚設置パネルの固定作業等を行うことができるので、１人の使用者だけで容易に作業を行うことができる。
【００１１】
また、本発明に係るデスク装置は、前記パネル受けが、前記天板支持パネルに対して着脱可能に設けられていることを特徴とする。
ことを特徴とする。
【００１２】
このような構成によれば、パネル受けの天板支持パネルへの取り付け位置を適宜変更することにより、デスク装置における棚の設置位置を容易に変更することができる。これにより、棚を設置すべき箇所それぞれに予めパネル受けを設ける場合と比較して、材料費削減によるコストダウンを図ることができる。
【００１３】
また、本発明に係るデスク装置は、前記パネル受けは、前記天板支持パネルの下面に上方に向けて螺合されたネジ部材によって前記天板支持パネルの下面に固定されていることを特徴とする。
【００１４】
このような構成によれば、パネル受け自体の重量やこれに取り付けられる棚設置パネル及び棚の重量は、ネジ部材に対し主として軸方向への引っ張り荷重として作用する。従って、これらの重量がネジ部材に対し軸方向に略直交する方向へのせん断荷重として作用する場合と比較すると、パネル受けを天板支持パネルに対して安全且つ確実に固定することができる。
【００１５】
また、本発明に係るデスク装置は、前記パネル受けにダボが突出して設けられ、前記棚設置パネルの下面に前記ダボに嵌合するダボ溝が形成されていることを特徴とする。
【００１６】
このような構成によれば、棚設置パネルを天板支持パネルに取り付ける作業を行う際に、使用者は、ダボ溝にダボをそれぞれ嵌合させることによって、棚設置パネルをパネル受けに対して容易に位置決めすることができる。また、棚設置パネルは、パネル受けによって下方から支持されるとともに、ダボ溝に嵌合されたダボによってもある程度支持される。従って、１人の使用者だけで棚設置パネルの固定作業等を容易に行うことができる。
【００１７】
また、本発明に係るデスク装置は、隣接する前記脚の上端部同士を連結して連結部材が設けられ、前記棚設置パネルが前記連結部材に固定されていることを特徴とする。
【００１８】
このような構成によれば、棚設置パネルがパネル受けを介して天板支持パネルに固定されるだけでなく、連結部材に対しても固定されるので、棚設置パネルをより強固且つ安定して固定することができる。
【発明の効果】
【００１９】
本発明に係るデスク装置によれば、天板の高さを調整可能なデスク装置であっても、棚設置パネルを強固且つ安定した状態で固定することができる。
【図面の簡単な説明】
【００２０】
【図１】本発明の実施形態に係るデスク装置の第１の使用状態を示す図であって、デスク装置を右側部側から見た概略斜視図である。
【図２】本発明の実施形態に係るデスク装置の第１の使用状態を示す図であって、デスク装置を左側部側から見た概略斜視図である。
【図３】図１におけるＡ−Ａ断面を示す概略断面図である。
【図４】パネル受けの外観を示す概略斜視図である。
【図５】本発明の実施形態に係るデスク装置を第１の使用状態で使用する場合の組み立て手順を示す分解斜視図である。
【図６】本発明の実施形態に係るデスク装置を第１の使用状態で使用する場合の組み立て手順を示す分解斜視図である。
【図７】本発明の実施形態に係るデスク装置を第１の使用状態で使用する場合の組み立て手順を示す分解斜視図である。
【図８】本発明の実施形態に係るデスク装置の第２の使用状態を示す図であって、デスク装置を右側部側から見た概略斜視図である。
【図９】本発明の実施形態に係るデスク装置の第３の使用状態を示す図であって、デスク装置を左側部側から見た概略斜視図である。
【図１０】第３の使用状態におけるデスク装置を背面側から見た分解斜視図である。
【図１１】本発明の実施形態に係るデスク装置の第４の使用状態を示す図であって、デスク装置を左側部側から見た概略斜視図である。
【発明を実施するための形態】
【００２１】
以下、図面を参照し、本発明の実施の形態について説明する。まず、本発明の実施形態に係るデスク装置の構成について説明する。図１及び図２は、本実施形態に係るデスク装置１０の第１の使用状態Ｕ１を示す図であって、図１はデスク装置１０を右側部側から見た概略斜視図、図２は左側部側から見た概略斜視図である。
【００２２】
尚、本願明細書では、デスク装置１０において使用者が位置する側について前面及び前部との用語を、使用者と反対側について後面及び後部との用語を、使用者から見て左右両側について側面及び側部との用語を、それぞれ使用する。
【００２３】
デスク装置１０は、図１及び図２に示すように、デスク本体１１と、このデスク本体１１の下部空間に収容されたサイドワゴン１２と、デスク本体１１の側部に取り付けられたパネル受け１３と、このパネル受け１３に取り付けられた棚設置パネル１４と、この棚設置パネル１４に取り付けられた棚１５と、を備えるものである。尚、図２では説明の便宜上、サイドワゴン１２の図示を省略している。
【００２４】
デスク本体１１は、図１及び図２に示すように、４本の脚１６と、これら脚１６を互いに連結して設けられた３本の上部連結部材１７及び２本の下部連結部材１８と、脚１６に支持されてデスク装置１０の両側部及び後部にそれぞれ設けられた３枚の天板支持パネル１９と、３枚の天板支持パネル１９によって支持された天板２０と、を具備している。
【００２５】
４本の脚１６は、図１及び図２に示すように、断面略矩形形状を有する長手部材である。尚、脚１６は少なくとも複数本であれば、その本数や配設位置や断面形状は本実施形態に限定されず適宜設計変更が可能である。
【００２６】
上部連結部材１７及び下部連結部材１８は、４本の脚１６を構造的に補強するものである。上部連結部材１７は、図１及び図２に示すように略水平方向に延び、その長手方向両端部が前後１対の脚１６の上端同士または左右１対の脚１６の上端同士にそれぞれ接続されている。また、下部連結部材１８も略水平方向に延び、その長手方向両端部が前後１対の脚１６の下端にそれぞれ接続されている。これにより、上部連結部材１７及び下部連結部材１８によって一体化された４本の脚１６は、外力の作用に拘らず平行な状態で保持されるようになっている。
また、図２に示すように、上部連結部材１７の長手方向両端部には、棚設置パネル１４を固定するための１対の鬼目ナット２１がそれぞれ埋め込まれている。
【００２７】
３枚の天板支持パネル１９は、図１及び図２に示すように、デスク装置１０の両側部にそれぞれ設けられた１対の側面支持パネル２２と、デスク装置１０の後部に設けられた後面支持パネル２３と、を備えている。
【００２８】
１対の側面支持パネル２２は、天板２０の両側面を支持するものである。これら側面支持パネル２２は、図１及び図２に示すように、略矩形の平板部材であって、その幅寸法は前後１対の脚１６の間隔に略等しく、その高さ寸法は脚１６の長さの略半分程度である。尚、側面支持パネル２２の高さ寸法は、脚１６の長さの半分程度に限られず、天板２０の高さを調整する範囲等に応じて適宜設計変更が可能である。
そして、これら側面支持パネル２２には、天板２０の取り付け用に使用する複数のビス穴２２１が形成されている。より詳細には、図２に示すように、縦方向５行×横方向２列に配列された合計１０個のビス穴２２１が、側面支持パネル２２を貫通してそれぞれ形成されている。
【００２９】
このように構成される側面支持パネル２２は、その幅方向両端部が前後１対の脚１６に対してそれぞれ接続されるとともに、その上端部が上部連結部材１７に接続されている。ここで、図３は、図１におけるＡ−Ａ断面を示す概略断面図である。側面支持パネル２２は、図１に示す前後１対の脚１６の間に設けられた状態で、その外側面２２Ａが上部連結部材１７の外側面１７Ａより一段低くなっている。
また、側面支持パネル２２の高さ寸法が脚１６の長さの略半分程度であるため、図２に示すように、側面支持パネル２２の下方には開口が形成され、側面支持パネル２２はその下面が露呈した状態となっている。そして、図３及び図５に示すように、側面支持パネル２２の下面には、その幅方向両端部に１対の鬼目ナット２５がそれぞれ埋め込まれている。
【００３０】
後面支持パネル２３は、天板２０の後面を支持するものである。この後面支持パネル２３は、図１及び図２に示すように、略矩形の平板部材であって、その幅寸法は左右１対の脚１６の間隔に略等しく、その高さ寸法は側面支持パネル２２と同様に脚１６の長さの略半分程度であって、その厚みは側面支持パネル２２の厚みと略等しく形成されている。尚、後面支持パネル２３の高さ寸法も、本実施形態に限定されず、天板２０の高さを調整する範囲等に応じて適宜設計変更が可能である。
【００３１】
そして、図１０に示すように、この後面支持パネル２３にも、天板２０の取り付け用に使用する複数のビス穴２３１が形成されている。より詳細には、縦方向５行×横方向１列に配列された合計５個のビス穴２３１が、後面支持パネル２３を貫通してそれぞれ形成されている。そして、これらビス穴２３１の高さ位置は、側面支持パネル２２に形成されたビス穴２２１の高さ位置にそれぞれ対応している。また、後面支持パネル２３の下方にも開口が形成されて後面支持パネル２３の下面が露呈した状態となっており、この後面支持パネル２３の下面にも、１対の鬼目ナット２６がそれぞれ埋め込まれている。
【００３２】
このように構成される後面支持パネル２３は、その幅方向両端部が左右１対の脚１６に対してそれぞれ接続されている。また、図に詳細は示さないが、側面支持パネル２２と同様に、左右１対の脚１６の間に設けられた状態で、その外側面が上部連結部材１７の外側面より一段低くなっている。
【００３３】
天板２０は、図１及び図２に示すように、平面視で略矩形形状を有する天板本体２０１と、この天板本体２０１に対して挿抜可能に設けられた引き出し２０２と、を具備している。このように構成される天板２０は、その高さ位置を任意に調整可能となっている。すなわち天板２０は、側面支持パネル２２及び後面支持パネル２３に形成された縦方向５行のビス穴２３１のうちいずれかの行のビス穴２３１の高さに合わせて配置され、その左右両側面が左右の側面支持パネル２２に対してそれぞれ当接されるとともに、その後面が後面支持パネル２３に対して当接される。その上で、側面支持パネル２２に形成された横方向２列のビス穴２２１を通して天板本体２０１の側面に２本のビス（不図示）がネジ込まれるとともに、後面支持パネル２３に形成された１個のビス穴２３１を通して天板本体２０１の後面に１本のビス（不図示）がネジ込まれる。これにより天板２０は、左右の側面支持パネル２２と後面支持パネル２３とによって支持される。
【００３４】
サイドワゴン１２は、図１に示すように、ワゴン本体１２１と、このワゴン本体１２１に対して挿抜可能に設けられた複数段の引き出し１２２と、ワゴン本体１２１の底面に回転可能に設けられた複数のキャスター１２３と、を有している。このように構成されるサイドワゴン１２は、デスク本体１１の下部空間の内部に、右側部に位置する前後１対の脚１６に近接するようにして配置されている。尚、図に詳細は示さないが、キャスター１２３を回転不能にロックすることにより、サイドワゴン１２を移動不能とすることができる。
【００３５】
図４は、パネル受け１３の外観を示す概略斜視図である。パネル受け１３は、断面略凸状の形状を有する長手部材である。このパネル受け１３は、幅方向中央部に突出して設けられた突部１３１と、この突部１３１を挟んで幅方向一方側に設けられた取付部１３２と、突部１３１を挟んで幅方向他方側に設けられた受け部１３３と、を具備している。
【００３６】
取付部１３２は、パネル受け１３を天板支持パネル１９に取り付けるためのものである。図３に示すように、この取付部１３２の幅寸法Ｗ１は、側面支持パネル２２の厚みと略等しく形成されている。また図４に示すように、取付部１３２の長さ寸法Ｌ１は、側面支持パネル２２の幅と同程度かそれより若干短く形成されている。そして、このように構成される取付部１３２には、図３及び図４に示すように、その長手方向に所定間隔で１対のネジ挿通穴１３２ａがそれぞれ形成されている。この１対のネジ挿通穴１３２ａの位置は、側面支持パネル２２の下面に埋め込んだ１対の鬼目ナット２５の位置にそれぞれ対応している。尚、取付部１３２の形状は、天板支持パネル１９に取り付け可能な形状であれば、本実施形態に限定されず適宜設計変更が可能である。
【００３７】
受け部１３３は、パネル受け１３に棚設置パネル１４を取り付けるためのものである。図３に示すように、この受け部１３３の幅寸法Ｗ２は、棚設置パネル１４の厚みと略等しく形成されている。また図４に示すように、受け部１３３の長さ寸法Ｌ２は、取付部１３２より長く且つ棚設置パネル１４の幅と略等しく形成されている。そして、このように構成される受け部１３３には、図４に示すように、その長手方向に所定間隔で３個のダボ１３３ａが突出して設けられている。尚、受け部１３３の形状も、棚設置パネル１４を取り付け可能な形状であれば、本実施形態に限定されず適宜設計変更が可能である。
【００３８】
突部１３１は、天板支持パネル１９に対するパネル受け１３の容易な位置決め、及びパネル受け１３に対する棚設置パネル１４の容易な位置決めを可能とするものである。尚、この突部１３１は、パネル受け１３に必須の構成ではなく、パネル受け１３を取付部１３２と受け部１３３とだけで構成してもよい。
【００３９】
棚設置パネル１４は、天板２０から上方へ離間した位置に棚１５を設置するためのものである。この棚設置パネル１４は、図１に示すように、略矩形の平板部材であって、その幅寸法は上部連結部材１７の長さ寸法と略等しく、その高さ寸法は天板支持パネル１９の高さ寸法より大きく形成されている。
【００４０】
このように構成される棚設置パネル１４には、図１に示すように、上部連結部材１７への固定用と棚１５の固定用とに兼用される複数のネジ挿通穴１４１が形成されている。より詳細には、縦方向４行×横方向２列に配列された合計８個のネジ挿通穴１４１が、棚設置パネル１４を貫通してそれぞれ形成されている。ここで、横方向２列のネジ挿通穴１４１の間隔は、上部連結部材１７の側面に埋め込んだ１対の鬼目ナット２６の間隔に対応している。
また、図３及び図６に示すように、棚設置パネル１４の下面には３個のダボ溝１４２がそれぞれ形成されている。この３個のダボ溝１４２は、パネル受け１３の受け部１３３に設けられた３個のダボ１３３ａに嵌合する形状であって、その位置は３個のダボ１３３ａの位置にそれぞれ対応している。
【００４１】
棚１５は、不図示の本やノート等を収納するためのものである。この棚１５は、図２に示すように、側面視で略Ｕ字形状を有する棚本体１５１と、この棚本体１５１の内部を適宜の間隔で仕切る仕切り板１５２と、を有している。そして、図７に示すように、棚本体１５１の背面すなわち棚設置パネル１４に当接する側の面には、縦方向２行×横方向２列に配列された合計４個の鬼目ナット１５３がそれぞれ埋め込まれている。この４個の鬼目ナット１５３の位置関係、すなわち縦方向及び横方向への間隔は、棚設置パネル１４に形成されたネジ挿通穴１４１の位置関係、すなわち縦方向及び横方向への間隔にそれぞれ対応している。
【００４２】
次に、本実施形態に係るデスク装置１０を第１の使用状態Ｕ１で使用する場合の組み立て手順、及びその作用効果について説明する。ここで、第１の使用状態Ｕ１とは、図１及び図２に示すように、天板２０が天板支持パネル１９の低い位置に取り付けられるとともに、デスク本体１１の側部に棚１５が設けられる使用状態を意味している。尚、天板２０が低い位置に取り付けられている例として、本実施形態では、天板支持パネル１９に形成された縦方向５行のビス穴２２１，２３１のうち、最下行のビス穴２２１，２３１の位置に天板２０を固定している。
【００４３】
デスク装置１０を第１の使用状態Ｕ１で使用する場合、使用者はまず、デスク本体１１に対してパネル受け１３を取り付ける。すなわち使用者は、図５に示すように、突部１３１を上に向けた状態のパネル受け１３の取付部１３２を、側面支持パネル２２の下面に当接させる。そして使用者は、図５に示すように、取付部１３２に形成された１対のネジ挿通穴１３２ａに対して１対の固定ネジ２７を下方から挿通させ、これら固定ネジ２７を側面支持パネル２２の下面に埋め込まれた１対の鬼目ナット２５にそれぞれ螺合させる。これにより、側面支持パネル２２の下面にパネル受け１３が固定される。
【００４４】
この時、図３に示すように、パネル受け１３の取付部１３２の幅寸法Ｗ１が側面支持パネル２２の厚みと略等しいため、側面支持パネル２２の外側面２２Ａが突部１３１に当接する。また、取付部１３２の幅寸法Ｗ１が側面支持パネル２２の厚みと略等しいため、取付部１３２の内側面１３２Ａが側面支持パネル２２の内側面２２Ｃと略同一面を形成する。これにより、天板２０の下方空間に収容されたサイドワゴン１２に対してパネル受け１３が干渉しないようになっている。
【００４５】
また、図３に示すように、突部１３１の厚みＤ１は、上部連結部材１７の外側面１７Ａと側面支持パネル２２の外側面２２Ａとの段差長に略等しく形成されている。これにより、突部１３１の外側面１３１Ｂが上部連結部材１７の外側面１７Ａと略同一面を形成する。また、受け部１３３の長さは取付部１３２の長さより長く形成されているため、図６に示すように、受け部１３３の長手方向両端部が前後１対の脚１６の外側面にそれぞれ当接する。
【００４６】
このように、パネル受け１３を側面支持パネル２２に固定する手段として、側面支持パネル２２の下面に対して上方に向けて螺合する固定ネジ２７を用いたので、パネル受け１３自体の重量やこれに取り付けられる棚設置パネル１４及び棚１５の重量は、固定ネジ２７に対し主として軸方向への引っ張り荷重として作用する。従って、これらの重量が固定ネジ２７に対し軸方向に略直交する方向へのせん断荷重として作用する場合と比較すると、パネル受け１３を側面支持パネル２２に対して安全且つ確実に固定することができる。
【００４７】
次に使用者は、パネル受け１３に対して棚設置パネル１４を取り付ける。すなわち使用者は、図６に示すように、棚設置パネル１４を、その下面に設けられた３個のダボ溝１４２に対して受け部１３３に突出して設けられた３個のダボ１３３ａをそれぞれ挿入させながら、受け部１３３の上に載置する。この時、図３に示すように、受け部１３３の幅寸法Ｗ２は棚設置パネル１４の厚みと略等しいため、棚設置パネル１４の内側面１４Ａが突部１３１の外側面に当接する。そして、前述のように突部１３１の外側面は上部連結部材１７の外側面１７Ａと略同一面を形成するため、受け部１３３の上に載置された棚設置パネル１４は、垂直状態においてその内側面１４Ａが上部連結部材１７の外側面１７Ａに当接する。また、棚設置パネル１４はその高さ寸法が側面支持パネル２２の高さ寸法より大きく形成されているため、棚設置パネル１４はパネル受け１３の受け部１３３に取り付けられた状態で、その上部が側面支持パネル２２より上方に突出する。
【００４８】
更に使用者は、棚設置パネル１４をデスク本体１１に固定する。すなわち使用者は、図６に示すように、棚設置パネル１４に形成された合計８個のネジ挿通穴１４１のうち、最下行に位置する一対のネジ挿通穴１４１に対し、外側から内側に向かって一対の固定ネジ２７をそれぞれ挿通させる。そして、これら固定ネジ２７を、上部連結部材１７に埋め込まれた一対の鬼目ナット２１にそれぞれ螺合させる。これにより、棚設置パネル１４が上部連結部材１７に固定される。
【００４９】
ここで、使用者は、ダボ溝１４２にダボ１３３ａをそれぞれ嵌合させることによって、棚設置パネル１４をパネル受け１３に対して容易に位置決めすることができる。またこの時、棚設置パネル１４は、パネル受け１３の受け部１３３によって下方から支持されるとともに、ダボ溝１４２に嵌合されたダボ１３３ａによってもある程度支持されている。従って、１人の使用者が片方の手で棚設置パネル１４を軽く支えながら、もう片方の手で固定ネジ２７を鬼目ナット２１に螺合させる作業を容易に行うことができる。
【００５０】
最後に使用者は、棚設置パネル１４に棚１５を取り付ける。すなわち使用者は、図７に示すように、棚設置パネル１４に形成された合計８個のネジ挿通穴１４１のうち、上部連結部材１７への固定に使用した最下行を除く上下３行のネジ挿通穴１４１のいずれかを使用し、棚設置パネル１４に棚１５を固定する。本実施形態では、棚設置パネル１４に形成された上から２行目及び３行目のネジ挿通穴１４１に対し、外側から内側に向かってそれぞれ固定ネジ２７を挿通させ、これら固定ネジ２７を、棚本体１５１の背面に埋め込まれた縦方向２行×横方向２列の鬼目ナット１５３にそれぞれ螺合させている。これにより、図１及び図２に示すように、棚設置パネル１４の内側面１４Ａであって側面支持パネル２２より上方へ突出した部分に、棚１５が固定される。
【００５１】
このように、本発明に係るデスク装置１０では、棚設置パネル１４が天板２０に直接固定されることなく天板支持パネル１９に固定されるので、天板２０の高さ位置によらず、棚設置パネル１４をデスク本体１１に対して強固且つ安定して固定することができる。
【００５２】
尚、本実施形態ではデスク装置１０の右側部に棚設置パネル１４を取り付けることで右側部に棚１５を設けたが、これに代えてまたはこれと共に、デスク装置１０の左側部に棚設置パネル１４を取り付けることで左側部に棚１５を設けてもよい。また、本実施形態では側面支持パネル２２に棚設置パネル１４を固定した後、棚設置パネル１４に棚１５を取り付けたが、それとは逆に、側面支持パネル２２に棚設置パネル１４を固定する前に、棚設置パネル１４に予め棚１５を取り付けておいてもよい。
【００５３】
次に、本実施形態に係るデスク装置１０を第２の使用状態Ｕ２で使用する場合について説明する。ここで、第２の使用状態Ｕ２とは、図８に示すように、天板２０が天板支持パネル１９の高い位置に取り付けられるとともに、デスク本体１１の側部に棚１５が設けられる使用状態を意味している。尚、天板２０が高い位置に取り付けられている例として、本実施形態では、天板支持パネル１９に形成された縦方向５行のビス穴２２１，２３１のうち、最上行のビス穴２２１，２３１の位置に天板２０を固定している。
【００５４】
この第２の使用状態Ｕ２を第１の使用状態Ｕ１と比較すると、天板２０の設置される高さ及び棚１５の設置される高さのみが異なり、パネル受け１３や棚設置パネル１４や棚１５の取り付け手順及びその作用効果は同じであるため、ここでは説明を省略する。このように、本発明に係るデスク装置１０によれば、天板２０が高い位置に配置される場合でも、棚設置パネル１４をデスク本体１１に対して強固且つ安定して固定することができる。
【００５５】
また、第２の使用状態Ｕ２では、天板２０を高い位置に設置したことに伴い、棚設置パネル１４に固定した棚１５によって天板２０上のスペースが狭くならないよう、棚１５の設置位置も高くしている。すなわち、図７に示すように、棚設置パネル１４に形成された合計８個のネジ挿通穴１４１のうち、最上行及び上から２行目のネジ挿通穴１４１に４本の固定ネジ２７をそれぞれ挿通させ、これら固定ネジ２７を棚本体１５１の背面に埋め込まれた合計４個の鬼目ナット１５３にそれぞれ螺合させる。
【００５６】
次に、本実施形態に係るデスク装置１０を第３の使用状態Ｕ３で使用する場合について説明する。ここで、第３の使用状態Ｕ３とは、図９に示すように、天板２０が天板支持パネル１９の高い位置に取り付けられるとともに、デスク本体１１の後部に柵が設けられる使用状態を意味している。尚、天板２０が低い位置に取り付けられている例として、本実施形態では、天板支持パネル１９に形成された縦方向５行のビス穴２２１，２３１のうち、最下行のビス穴２２１，２３１の位置で天板２０を固定している。
【００５７】
この第３の使用状態Ｕ３を第２の使用状態Ｕ２と比較すると、デスク本体１１の後部に棚１５が設けられる点で異なっている。ここで、図１０は、第３の使用状態Ｕ３におけるデスク装置１０を背面側から見た分解斜視図である。
【００５８】
デスク装置１０を第３の使用状態Ｕ３で使用する場合、使用者はまず、デスク本体１１に対してパネル受け１３を取り付ける。すなわち使用者は、図１０に示すように、突部１３１を上に向けた状態のパネル受け１３の取付部１３２を、後面支持パネル２３の下面に当接させる。そして使用者は、図１０に示すように、取付部１３２に形成された１対のネジ挿通穴１３２ａに対して１対の固定ネジ２７を下方から挿通させ、これら固定ネジ２７を後面支持パネル２３の下面に埋め込まれた１対の鬼目ナット２６にそれぞれ螺合させる。これにより、後面支持パネル２３の下面にパネル受け１３が固定される。
尚、この時の後面支持パネル２３に対するパネル受け１３の取り付け状態は、図３に示す第１の使用状態Ｕ１と同様であるため、ここでは説明を省略する。
【００５９】
次に使用者は、パネル受け１３に対して棚設置パネル１４を取り付ける。すなわち使用者は、図１０に示すように、棚設置パネル１４を、その下面に設けられた３個のダボ溝１４２に対して受け部１３３に突出して設けられた３個のダボ１３３ａをそれぞれ挿入させながら、受け部１３３の上に載置する。
尚、この時のパネル受け１３に対する棚設置パネル１４の取り付け状態は、図３に示す第１の使用状態Ｕ１と同様であるため、ここでは説明を省略する。
【００６０】
更に使用者は、棚設置パネル１４をデスク本体１１に固定する。すなわち使用者は、図１０に示すように、棚設置パネル１４に形成された合計８個のネジ挿通穴１４１のうち、最下行に位置する一対のネジ挿通穴１４１に対し、外側から内側に向かって一対の固定ネジ２７をそれぞれ挿通させる。そして、これら固定ネジ２７を、上部連結部材１７に埋め込まれた一対の鬼目ナット２１にそれぞれ螺合させる。これにより、デスク本体１１の後部に設けられた上部連結部材１７に対し、棚設置パネル１４が固定される。尚、この作業を１人の使用者が容易に行うことができる点は、第１の使用状態Ｕ１と同様である。
【００６１】
最後に使用者は、棚設置パネル１４に棚１５を取り付ける。すなわち使用者は、図１０に示すように、棚設置パネル１４に形成された８個のネジ挿通穴１４１のうち、最上行及び上から２行目のネジ挿通穴１４１に４本の固定ネジ２７をそれぞれ挿通させ、これら固定ネジ２７を棚本体１５１の背面に埋め込まれた合計４個の鬼目ナット１５３にそれぞれ螺合させる。
【００６２】
次に、本実施形態に係るデスク装置１０を第４の使用状態Ｕ４で使用する場合について説明する。ここで、第４の使用状態Ｕ４とは、図１１に示すように、天板２０が天板支持パネル１９の低い位置に取り付けられるとともに、デスク本体１１の後部に柵が設けられる使用状態を意味している。尚、天板２０が低い位置に取り付けられている例として、本実施形態では、天板支持パネル１９に形成された縦方向５行のビス穴２２１，２３１のうち、最下行のビス穴２２１，２３１の位置で天板２０を固定している。
【００６３】
この第４の使用状態Ｕ４を第３の使用状態Ｕ３と比較すると、天板２０の設置される高さ及び棚１５の設置される高さのみが異なり、パネル受け１３や棚設置パネル１４や棚１５の取り付け手順及びその作用効果は同じであるため、ここでは説明を省略する。このように、本発明に係るデスク装置１０によれば、天板２０が低い位置に配置される場合でも、棚設置パネル１４をデスク本体１１に対して強固且つ安定して固定することができる。
【００６４】
また、第４の使用状態Ｕ４では、天板２０を低い位置に設置したことに伴い、棚１５の設置位置も低くしている。すなわち、図１０に示すように、棚設置パネル１４に形成された合計８個のネジ挿通穴１４１のうち、上から２行目及び上から３行目のネジ挿通穴１４１に４本の固定ネジ２７をそれぞれ挿通させ、これら固定ネジ２７を棚本体１５１の背面に埋め込まれた合計４個の鬼目ナット１５３にそれぞれ螺合させる。
尚、本実施形態では棚１５の設置位置を低くしたが、棚１５によって天板２０上のスペースが狭くならない場合は、棚１５の設置位置を第３の使用状態と同様に高い位置としてもよい。
【００６５】
尚、上述した実施形態において示した各構成部材の諸形状や組み合わせ、或いは動作手順等は一例であって、本発明の主旨から逸脱しない範囲において設計要求等に基づき種々変更可能である。
【符号の説明】
【００６６】
１０  デスク装置
１１  デスク本体
１２  サイドワゴン
１２１  ワゴン本体
１２２  引き出し
１２３  キャスター
１３  パネル受け
１３１  突部
１３２  取付部
１３２ａ  ネジ挿通穴
１３２Ａ  内側面
１３３  受け部
１３３ａ  ダボ
１４  棚設置パネル
１４１  ネジ挿通穴
１４２  ダボ溝
１４Ａ  内側面
１５  棚
１５１  棚本体
１５２  仕切り板
１５３  鬼目ナット
１６  脚
１７  上部連結部材
１７Ａ  外側面
１８  下部連結部材
１９  天板支持パネル
２０  天板
２０１  天板本体
２０２  引き出し
２１  鬼目ナット
２２  側面支持パネル
２２１  ビス穴
２２Ａ  外側面
２２Ｃ  内側面
２３  後面支持パネル
２３１  ビス穴
２５  鬼目ナット
２６  鬼目ナット
２７  固定ネジ
Ｄ１  厚み
Ｌ１  長さ寸法
Ｌ２  長さ寸法
Ｕ１  第１の使用状態
ｄＵ２  第２の使用状態
Ｕ３  第３の使用状態
Ｕ４  第４の使用状態
Ｗ１  幅寸法
Ｗ２  幅寸法
【図１】
2012120732.tif 000003
【図２】
2012120732.tif 000004
【図３】
2012120732.tif 000005
【図４】
2012120732.tif 000006
【図５】
2012120732.tif 000007
【図６】
2012120732.tif 000008
【図７】
2012120732.tif 000009
【図８】
2012120732.tif 000010
【図９】
2012120732.tif 000011
【図１０】
2012120732.tif 000012
【図１１】
2012120732.tif 000013